(57)【要約】【課題】  水槽の中を今以上に長期間掃除をしなくてもきれいに，掃除の際も簡単に早くできるようにヘドロやごみを何とかしたい。流水でモミ洗いし、その際水槽の水も入れ換える必要があり、その時間がけっこ石や砂利についたコケ、エサの食べ残し、ゴミ、ヘドロ等をバケツに取り、うかかる。【解決手段】網の目になっており酸素、水の流れを止めることなく水槽の中を快適にかつ、無駄無く使えるように、何段にでも重ねられるようになっています。水に浮くようなときはおもりを取り付けます。網の目なので、餌の食べ残し、フン、ゴミ他、等が、下にたまるようになり、掃除、水換えが、しやすくなる。また、海老等の生物を入れると、少しずつ食べて行ってくれるので、掃除等が、楽に行えるようになる。また、網の目なので生物が容易に歩けるようなっている。とくに、砂利を入れる必要が無いことも利点の一つである。【選択図】    図１
2005218326.tif 000002
【特許請求の範囲】
【請求項１】
網の目になっており、隙間からゴミ、糞、餌の食べ残しが下に落ちるようになっており、水の流れを止めることなく、循環させ、酸素が行き届き、魚等の生物も快適に飼育することが出来る水槽の床。
【請求項２】
弱い魚やエビ等が逃げ隠れする場所に成りえる。網の目なので、生物が自由に歩きまわることが出来る水槽の床。
【請求項３】
ハサミ、カッター等の刃物で切ることが出来るので、好きな、自由な、大きさに穴を開けられ、稚魚等の大きさに合わせて、カット、水草の固定用にもカットできる。魚、エビ等、水槽内の生物が行き来、出来るようにできる水槽の床。
【請求項４】
石や砂利を入れる必要がなく、洗う手間が省け水換えの時間が大幅に短縮できる水槽の床。
【請求項５】
水槽内のゴミ、餌の食べ残しが下に積もり、掃除の際は、したのゴミだけを取り除くことが可能である水槽の床。
【請求項６】
何段にでも重ねることが出来、水槽内全体をフル活用できる水槽の床。
【請求項７】
網の目なので透けて奥にいる生物の姿も見ることが出来る水槽の床。
【請求項８】
エビを入れると、よりいっそう快適に、エビがゴミ等の沈殿物を食べてくれるので、きれいが長続きします水槽の床。
【発明の詳細な説明】
【技術分野】
【０００１】
この発明は魚類等飼育水槽のガラス面に生えるコケ、ヘドロ、エサの食べ残し、フン、ゴミ他、等を取り除きやすくすると同時に、水槽を快適かつフル活用できる器具に関するものである。
水槽内全体の有効活用を目指した道具の一つである水槽の床。
【背景技術】
【０００２】
水槽の中にエビ等を入れることにより水槽の中が掃除され糞、餌の食べ残し、ゴミ等を減らしてくれます。エビは下層部分のみならず全体をきれいにしてくれ、それ相当の数匹を入れるとより良いです。
【０００３】
エビの隠れみのとして、他の生物、魚類、ザリガニ、から、エビが逃げやすくなる。エビだけではなく弱い魚類等も自力で逃げられる手助けになりえる水槽の床。
【０００４】
何段にでも階を、増やしていけるので、水槽内をフル活用できる道具の一つです。２階、３階建てにすることにより家のようになる水槽の床。
【０００５】
ハサミ、カッターナイフ等の刃物で切断が出来る素材もあり、好きなところに、穴を開ける事により上下左右、自由に移動が出来る。そのことにより生物が有効に、広く動きまわることが出来る。
【０００６】
穴の形量、大きさは、自由に好きな形であけられることも可能です。
【０００７】
基本的に水の中でも腐らない材料を使用。
【０００８】
本体のサイズ、形、大きさは、水槽や用途によって変えられ自由設計できる、自由に好きなところを、切ったり、つけたり出来る。
【０００９】
浮くときは、オモリをつけたり、物を載せたりして底に着くまで沈ます。
【００１０】
網の目になっており水、空気の通りを良くしている。
【００１１】
水草をはやしたり、固定するのにも好きなところを、切断して便利よく出来ます。
【００１２】
網の目の大きさは目的と用途によって自由に選びかえられます。
【００１３】
網の目からエサ等がすり抜ける場合は、皿などの器を置いて補助をして中の生物を飼育してください。
【００１４】
基本的に、やわらかい素材なので少しぐらい曲がっていても手で元に戻せます。
【００１５】
使用時の状況を考慮して材質の違う硬い、やわらかいなど物を使用しても作れます。
【００１６】
色は、水槽や魚、生物によって、いろいろ変えられ選べるように種類があります。
【００１７】
浮く材質の物で作れば、浮島が出来ます。  階段をつけても、ｏｋ、登れるようにすれば、有効活用でフル活用を目指せます。
【００１８】
ある一定以上の荷重が加われば、沈んでいく、仕組みにも適用して作れます。
ザリガニ、かえる、等が登れば下に、沈み降りると上に浮くしくみ、
【００１９】
泡の出る酸素、入浴剤のような、池の素、川の素、海の素も、使用できます。
【００２０】
網の目になっているのでエビ、かに、ザリガリ、はぜ、等、魚類が用意に止まったり、歩くことが出来る水槽の床。
【００２１】
砂、砂利、石等を入れる必要がなく、水換えの時間が大幅に短縮できる水槽の床。
【発明の開示】
【発明が解決しようとする課題】
【００２２】
水槽の水換えの際の小石、砂の汚れ、エサの食べ残しや、ごみ、ヘドロの清掃の手間を容易に、省きかつ、水槽内の生物が快適に生活し、水槽内をフル活用する事、一度ヘドロがつくと汚れがなかなか取れないので、つかないようにする
【課題を解決するための手段】
【００２３】
本製品は好きな箇所を、好きな大きさと形にハサミ、カッター等の刃物で穴を開け、水槽内に沈める事により水槽内の生物を快適に過ごせるように出来る用品の一つです
【発明の効果】
【００２４】
石や砂利を、入れる必要がなく、網の目なので、ゴミ、エサの食べ残しフン等が、下に沈殿して、それらを好む生物が生存しやすく、ヘドロもたまらないようになり、掃除もしやすくなった。
また、水草や植物などを固定して水槽の中をフル活用する事ができ、又、自由に切って穴を開けられるので、各個人や用途にあった水槽内を演出することができる。
【発明を実施するための最良の形態】
【００２５】
本製品の好きな箇所、好きな大きさと形にハサミ、カッター等の刃物で穴を開け水槽の底に沈める、水草を入れたい場合は、置きたい所にちょうどいい穴を開けそこに水草をはめ込むとよい、固定できます。
フン、ゴミやエサの食べ残しが下にたまるのでエビ、ドジョウ等の生物を入れておくと沈殿物を食べて、減らしてくれる。
網の目なので砂利を入れる必要がなく、その上をザリガニ、カニ、エビ等、魚類等も歩け、止まり休む事が出来る、
網の大きさは自由に変えることが出来，生物に合わせ材質も選べます。
生物に合わせて、脚の場所を自由に移動してつけることが出来ます．網を使用しているので水の流れを止めることなく、酸素を循環できます.特に下から酸素を放出してやることでよりいっそう酸素を行き渡らせる事が容易になります。
【図面の簡単な説明】
【００２６】
【図１】水槽の床を示した平面図である。
【図２】水槽の床を示した断面図である。
【図３】水槽の床の好きな箇所を穴あけしたところを示した平面図である。
【図４】水槽の床の３重層を示した断面図である。
【符号の説明】
【００２７】
１  台
２  脚
３  穴あけした穴
４  網の目
【図１】
2005218326.tif 000003
【図２】
2005218326.tif 000004
【図３】
2005218326.tif 000005
【図４】
2005218326.tif 000006